(57)【要約】【課題】清掃部材を効率よく洗浄する空気調和機を提供する。【解決手段】空気調和機は、熱交換器（室内熱交換器１５）と、送風ファン（室内ファン１６）を清掃するファン清掃部２４と、ファン清掃部を熱交換器と送風ファンとの双方に選択的に接触させる制御部３０と、を備えている。制御部は、ファン清掃部を熱交換器に接触させる前、又は、ファン清掃部を熱交換器に接触させている時に、冷凍サイクルに熱交換器で結露水を生成させる。【選択図】図２
2019143841.tif 000002
【特許請求の範囲】
【請求項１】
熱交換器を有する冷凍サイクルと、
送風ファンと、
前記送風ファンを清掃するファン清掃部と、
前記ファン清掃部を前記送風ファンと前記熱交換器の双方に選択的に接触させる制御部と、を備え、
前記制御部は、前記ファン清掃部を前記熱交換器に接触させる前、又は、前記ファン清掃部を前記熱交換器に接触させている時に、前記冷凍サイクルに前記熱交換器で結露水を生成させる
ことを特徴とする空気調和機。
【請求項２】
請求項１に記載の空気調和機において、
前記制御部は、前記冷凍サイクルに前記熱交換器で結露水を生成させた後、乾燥動作を行い、
前記乾燥動作は、前記熱交換器を凝縮器とする運転又は送風運転によって行われる
ことを特徴とする空気調和機。
【請求項３】
請求項２に記載の空気調和機において、
前記制御部は、前記熱交換器を凝縮器とする運転により前記乾燥動作を行う場合、前記ファン清掃部を前記熱交換器に接触させる
ことを特徴とする空気調和機。
【請求項４】
請求項２又は請求項３に記載の空気調和機において、
前記制御部は、前記熱交換器を凝縮器とする運転により前記乾燥動作を行う場合、風向板を閉じるか若しくは水平以上の向きとするか、前記送風ファンを停止するか、又はその両方を行う
ことを特徴とする空気調和機。
【請求項５】
請求項３に記載の空気調和機において、
前記熱交換器は伝熱管及びフィンを有し、
前記制御部は、前記乾燥動作を行う場合、前記ファン清掃部を前記熱交換器のうちガス域又は二相域の冷媒が流れる前記伝熱管に接触している前記フィンに接触させる
ことを特徴とする空気調和機。
【請求項６】
請求項２に記載の空気調和機において、
前記制御部は、前記熱交換器を凝縮器とする運転により前記乾燥動作を行う場合、前記ファン清掃部を前記熱交換器に向ける
ことを特徴とする空気調和機。
【請求項７】
請求項１に記載の空気調和機において、
前記制御部は、暖房運転、冷房運転又は除湿運転時、前記ファン清掃部を前記熱交換器に接触させない状態とする
ことを特徴とする空気調和機。
【請求項８】
請求項７記載の空気調和機において、
前記ファン清掃部は、軸部を中心にして回転する構造であり、
暖房運転、冷房運転又は除湿運転時、前記ファン清掃部の向きを水平方向とするか、水平方向に対して所定の角度の範囲内とする
ことを特徴とする空気調和機。
【請求項９】
請求項７記載の空気調和機において、
前記ファン清掃部は、軸部を中心にして回転する構造であり、
暖房運転、冷房運転又は除湿運転時、前記ファン清掃部の向きを風の流れに対して平行な向きとする
ことを特徴とする空気調和機。
【請求項１０】
請求項１に記載の空気調和機において、
前記ファン清掃部の下方に前記熱交換器の一部又は露受皿が配置されており、
前記制御部は、前記結露水の生成時、前記ファン清掃部の先端が下に位置するよう前記ファン清掃部を斜め下方に向ける
ことを特徴とする空気調和機。
【請求項１１】
請求項１に記載の空気調和機において、
前記ファン清掃部を前記熱交換器に接触させて清掃する頻度は、前記送風ファンを前記ファン清掃部で清掃する頻度よりも少ない
ことを特徴とする空気調和機。
【請求項１２】
熱交換器を有する冷凍サイクルと、
送風ファンと、
前記送風ファンを清掃するファン清掃部と、
前記ファン清掃部を前記送風ファンと前記熱交換器の双方に選択的に接触させる制御部と、を備え、
前記制御部は、前記ファン清掃部が前記熱交換器に接触する角度を含む範囲で、前記ファン清掃部を回転させる動作を複数回行う
ことを特徴とする空気調和機。
【請求項１３】
請求項１２に記載の空気調和機において、
前記ファン清掃部を回転させる動作時、空調運転時に回転する方向とは逆方向に前記送風ファンを回転させる
ことを特徴とする空気調和機。
【請求項１４】
請求項１２に記載の空気調和機において、
前記熱交換器のフィンのピッチは前記ファン清掃部のブラシの毛の太さよりも広く、
前記熱交換器の前記フィンには、スリットが設けられている
ことを特徴とする空気調和機。
【請求項１５】
請求項１又は請求項１２に記載の空気調和機において、
前記ファン清掃部は、軸部を中心にして清掃部材を回転する構造であり、
前記制御部は、前記冷凍サイクルに前記熱交換器で結露水を生成させた後、前記軸部の下回り方向に前記清掃部材を回転させる
ことを特徴とする空気調和機。
【請求項１６】
請求項１又は請求項１２に記載の空気調和機において、
前記ファン清掃部は、前記送風ファンの長手方向の長さよりも短い長さで、かつ、前記送風ファンの長手方向に移動可能な清掃部材を有する
ことを特徴とする空気調和機。
【発明の詳細な説明】
【技術分野】
【０００１】
本発明は、空気調和機に関する。
【背景技術】
【０００２】
空気調和機の送風ファン（室内ファン）を清掃するファン清掃部として、例えば、特許文献１には、「ファンの塵埃を除去するためのファン清掃装置」が記載されている。特許文献１に記載の空気調和機は、ファン清掃部を送風ファンに接触させることにより、送風ファンの清掃を行う構造になっている。
【先行技術文献】
【特許文献】
【０００３】
【特許文献１】特開２００７−７１２１０号公報
【発明の概要】
【発明が解決しようとする課題】
【０００４】
特許文献１に記載の従来の空気調和機では、送風ファンの清掃を行う度にファン清掃部に塵埃が付着するが、その塵埃の除去は清掃員の人手によって専ら行われていた。そのため、従来の空気調和機は、ファン清掃部を効率よく洗浄する機能を付加されることが望まれていた。
【０００５】
そこで、本発明は、ファン清掃部を効率よく洗浄する空気調和機を提供することを課題とする。
【課題を解決するための手段】
【０００６】
前記課題を解決するために、本発明に係る空気調和機は、熱交換器を有する冷凍サイクルと、送風ファンと、前記送風ファンを清掃するファン清掃部と、前記ファン清掃部を前記送風ファンと前記熱交換器の双方に選択的に接触させる制御部と、を備え、前記制御部は、前記ファン清掃部を前記熱交換器に接触させる前、又は、前記ファン清掃部を前記熱交換器に接触させている時に、前記冷凍サイクルに前記熱交換器で結露水を生成させる構成とする。
【０００７】
また、本発明に係る空気調和機は、熱交換器を有する冷凍サイクルと、送風ファンと、前記送風ファンを清掃するファン清掃部と、前記ファン清掃部を前記送風ファンと前記熱交換器の双方に選択的に接触させる制御部と、を備え、前記制御部は、前記ファン清掃部が前記熱交換器に接触する角度を含む範囲で、前記ファン清掃部を回転させる動作を複数回行う構成とする。
【発明の効果】
【０００８】
本発明によれば、ファン清掃部を効率よく洗浄する空気調和機を提供できる。
【図面の簡単な説明】
【０００９】
【図１】本発明の実施形態に係る空気調和機の冷媒回路の説明図である。
【図２】本発明の実施形態に係る空気調和機が備える室内機の縦断面図である。
【図３】発明の実施形態に係る空気調和機が備える室内機の一部を切り欠いた斜視図である。
【図４】本発明の実施形態に係る空気調和機において、空調運転中におけるファン清掃部付近の空気の流れを示す説明図である。
【図５】本発明の実施形態に係る空気調和機の機能ブロック図である。
【図６】本発明の実施形態に係る空気調和機の制御部が実行する室内ファンの清掃処理を示すフローチャートである。
【図７Ａ】本発明の実施形態に係る空気調和機において、室内ファンの清掃中の状態を示す説明図である。
【図７Ｂ】本発明の実施形態に係る空気調和機において、運転時の清掃部材の配置例を示す説明図である。
【図８】本発明の実施形態に係る空気調和機の制御部が実行する清掃部材の清掃処理を示すフローチャートである。
【図９】本発明の実施形態に係る空気調和機の制御部が実行する清掃部材の別の清掃処理を示すフローチャートである。
【図１０Ａ】空調運転が行われる場合における清掃部材の向きの一例を示す説明図（１）である。
【図１０Ｂ】空調運転が行われる場合における清掃部材の向きの別の例を示す説明図（２）である。
【図１１】空調運転が行われる場合における清掃部材の向きのさらに別の例を示す説明図である。
【図１２】冷房運転時又は除湿運転が行われる場合の清掃部材の向きを示す説明図である。
【図１３】送風ファンの清掃タイミングを変更する場合の動作例を示すフローチャートである。
【図１４】清掃部材の清掃タイミングを変更する場合の動作例を示すフローチャートである。
【図１５】本発明の第１変形例に係る空気調和機のファン清掃部の清掃処理を示すフローチャートである。
【図１６Ａ】本発明の第２変形例に係る空気調和機の室内熱交換器の側面図である。
【図１６Ｂ】本発明の第２変形例に係る空気調和機の室内熱交換器の内面図である。
【図１７】本発明の第３変形例に係る空気調和機が備える室内機の縦断面図である。
【図１８】本発明の第４変形例に係る空気調和機が備える室内ファン及びファン清掃部の模式的な斜視図である。
【発明を実施するための形態】
【００１０】
≪実施形態≫
＜空気調和機の構成＞
図１は、実施形態に係る空気調和機１００の冷媒回路Ｑの説明図である。本実施形態では、空気調和機１００が室内熱交換器１５の凍結・解凍運転を実行する機能を有する場合を想定して説明する。しかしながら、本発明は、空気調和機１００が室内熱交換器１５の凍結・解凍運転を実行する機能を有していない場合にも適用することができる。なお、「凍結・解凍運転」とは、熱交換器の温度を下げる運転を行って熱交換器のフィンの表面に霜（若しくは氷）を付着させ、その後に、熱交換器の温度を上げる運転を行って霜を解凍し、解凍された結露水（凝縮水）が落下する勢いを利用して熱交換器に付着した塵埃を流し落とす運転である。
なお、図１の実線矢印は、暖房運転時における冷媒の流れを示している。
また、図１の破線矢印は、冷房運転時における冷媒の流れを示している。
図１に示すように、空気調和機１００は、圧縮機１１と、室外熱交換器１２と、室外ファン１３と、膨張弁１４と、を備えている。また、空気調和機１００は、前記した構成の他に、室内ファン１６と、四方弁１７と、を備えている。
【００１１】
圧縮機１１は、圧縮機モータ１１ａの駆動によって、低温低圧のガス冷媒を圧縮し、高温高圧のガス冷媒として吐出する機器である。
室外熱交換器１２は、その伝熱管（図示せず）を通流する冷媒と、室外ファン１３から送り込まれる外気と、の間で熱交換が行われる熱交換器である。
【００１２】
室外ファン１３は、室外ファンモータ１３ａの駆動によって、室外熱交換器１２に外気を送り込むファンであり、室外熱交換器１２の付近に設置されている。
膨張弁１４は、「凝縮器」（室外熱交換器１２及び室内熱交換器１５の一方）で凝縮した冷媒を減圧する弁である。なお、膨張弁１４において減圧された冷媒は、「蒸発器」（室外熱交換器１２及び室内熱交換器１５の他方）に導かれる。
【００１３】
室内熱交換器１５は、その伝熱管ｇ（図２参照）を通流する冷媒と、室内ファン１６から送り込まれる室内空気（空調対象空間の空気）と、の間で熱交換が行われる熱交換器である。
室内ファン１６は、室内ファンモータ１６ｃ（図５参照）の駆動によって、室内熱交換器１５に室内空気を送り込むファンであり、室内熱交換器１５の付近に設置されている。より詳しく説明すると、室内ファン１６が正回転している場合の空気の流れにおいて、室内ファン１６は室内熱交換器１５の下流側に設置されている。
【００１４】
四方弁１７は、空気調和機１００の運転モードに応じて、冷媒の流路を切り替える弁である。例えば、冷房運転時（図１の破線矢印を参照）には、圧縮機１１、室外熱交換器１２（凝縮器）、膨張弁１４、及び室内熱交換器１５（蒸発器）が、四方弁１７を介して環状に順次接続されてなる冷媒回路Ｑにおいて、冷凍サイクルで冷媒が循環する。
【００１５】
一方、暖房運転時（図１の実線矢印を参照）には、圧縮機１１、室内熱交換器１５（凝縮器）、膨張弁１４、及び室外熱交換器１２（蒸発器）が、四方弁１７を介して環状に順次接続されてなる冷媒回路Ｑにおいて、冷凍サイクルで冷媒が循環する。
【００１６】
なお、図１に示す例では、圧縮機１１、室外熱交換器１２、室外ファン１３、膨張弁１４、及び四方弁１７が、室外機Ｕｏに設置されている。一方、室内熱交換器１５及び室内ファン１６は、室内機Ｕｉに設置されている。
【００１７】
図２は、室内機Ｕｉの縦断面図である。
なお、図２では、ファン清掃部２４による室内ファン１６の清掃が行われていない状態を図示している。室内機Ｕｉは、前記した室内熱交換器１５や室内ファン１６の他に、露受皿１８と、筐体ベース１９と、フィルタ２０ａ，２０ｂと、前面パネル２１と、左右風向板２２と、上下風向板２３と、ファン清掃部２４と、を備えている。
【００１８】
室内熱交換器１５は、複数のフィンｆと、それらのフィンｆを貫通する複数の伝熱管ｇと、を有している。また、別の観点から説明すると、室内熱交換器１５は、前側室内熱交換器１５ａと、後側室内熱交換器１５ｂと、を有している。前側室内熱交換器１５ａは、室内ファン１６の前側に配置されている。一方、後側室内熱交換器１５ｂは、室内ファン１６の後側に配置されている。そして、前側室内熱交換器１５ａの上端部と、後側室内熱交換器１５ｂの上端部と、が接続されている。
【００１９】
露受皿１８は、室内熱交換器１５の凝縮水を受けるものであり、室内熱交換器１５（図２に示す例では、前側室内熱交換器１５ａ）の下方に配置されている。なお、後側室内熱交換器１５ｂの下方には筐体ベース１９と一体に設けられた露受皿が配置されている。
【００２０】
室内ファン１６は、例えば、円筒状のクロスフローファンであり、室内熱交換器１５の付近に配置されている。室内ファン１６は、複数のファンブレード１６ａと、これらのファンブレード１６ａが設置される仕切板１６ｂと、駆動源である室内ファンモータ１６ｃ（図５参照）と、を備えている。
【００２１】
なお、室内ファン１６は、親水性のコーティング剤でコーティングされていることが好ましい。このようなコーティング材として、例えば、親水性材料であるイソプロピルアルコール分散シリカゾルに、バインダー（加水分解性基を有するケイ素化合物）、ブタノール、テトラヒドロフラン、及び抗菌剤を添加したものを用いてもよい。
【００２２】
これによって、室内ファン１６の表面に親水性膜が形成されるため、室内ファン１６の表面の電気抵抗値が小さくなり、室内ファン１６に塵埃が付着しにくくなる。つまり、室内ファン１６の駆動中、空気との摩擦に伴う静電気が室内ファン１６の表面に生じにくくなるため、室内ファン１６への塵埃の付着を抑制できる。このように、前記したコーティング剤は、室内ファン１６の帯電防止剤としても機能する。
【００２３】
図２に示す筐体ベース１９は、室内熱交換器１５や室内ファン１６等の機器が設置される筐体である。
フィルタ２０ａは、前側の空気吸込口ｈ１に向かう空気から塵埃を除去するものであり、室内熱交換器１５の前側に設置されている。
フィルタ２０ｂは、上側の空気吸込口ｈ２に向かう空気から塵埃を除去するものであり、室内熱交換器１５の上側に設置されている。
【００２４】
前面パネル２１は、前側のフィルタ２０ａを覆うように設置されるパネルであり、下端を軸として前側に回動可能になっている。なお、前面パネル２１が回動しない構成であってもよい。
【００２５】
左右風向板２２は、室内ファン１６の回転に伴って室内に吹き出される空気の左右方向の流れを調整する板状部材である。左右風向板２２は、吹出風路ｈ３に配置され、左右風向板用モータ２５（図５参照）によって左右方向に回動するようになっている。
上下風向板２３は、室内ファン１６の回転に伴って室内に吹き出される空気の上下方向の流れを調整する板状部材である。上下風向板２３は、空気吹出口ｈ４の付近に配置され、上下風向板用モータ２６（図５参照）によって上下方向に回動するようになっている。
【００２６】
空気吸込口ｈ１，ｈ２を介して吸い込まれた空気は、室内熱交換器１５の伝熱管ｇを通流する冷媒と熱交換し、熱交換した空気が吹出風路ｈ３に導かれる。この吹出風路ｈ３を通流する空気は、左右風向板２２及び上下風向板２３によって所定方向に導かれ、さらに、空気吹出口ｈ４を介して室内に吹き出される。
【００２７】
なお、空気の流れに伴って空気吸込口ｈ１，ｈ２に向かう塵埃の多くは、フィルタ２０ａ，２０ｂで捕集される。しかしながら、細かい塵埃がフィルタ２０ａ，２０ｂを通り抜けて、室内熱交換器１５や室内ファン１６に付着することがある。したがって、室内熱交換器１５や室内ファン１６を定期的に清掃することが望ましい。そこで、本実施形態では、次に説明するファン清掃部２４を用いて室内ファン１６を清掃した後、室内熱交換器１５を水で洗い流すようにしている。
【００２８】
図２に示すファン清掃部２４は、室内ファン１６を清掃するものであり、室内熱交換器１５と室内ファン１６との間に配置されている。より詳しく説明すると、縦断面視で＜字状を呈する前側室内熱交換器１５ａの凹部ｒに、ファン清掃部２４が配置されている。図２に示す例では、ファン清掃部２４の下方に、室内熱交換器１５（前側室内熱交換器１５ａの下部）が存在するとともに、露受皿１８が存在している。
【００２９】
図３は、室内機Ｕｉの一部を切り欠いた斜視図である。
ファン清掃部２４は、図３に示す軸部２４ａ及びブラシ２４ｂの他に、ファン清掃用モータ２４ｃ（図５参照）を備えている。軸部２４ａは、室内ファン１６の軸方向に平行な棒状の部材であり、その両端が軸支されている。
【００３０】
ブラシ２４ｂは、ファンブレード１６ａに付着した塵埃を除去する清掃部材であり、軸部２４ａに設置されている。本実施形態では、清掃部材がブラシ２４ｂで構成されているものとして説明する。しかしながら、清掃部材は、ブラシ２４ｂに限らず、他の物品（例えば、スポンジ等）で構成することもできる。ファン清掃用モータ２４ｃ（図５参照）は、例えば、ステッピングモータであり、軸部２４ａを所定角度だけ回転させる機能を有している。ただし、ファン清掃用モータ２４ｃ（図５参照）は、軸部２４ａを３６０°回転させるようにしてもよい。
【００３１】
ブラシ２４ｂの長さは、軸部２４ａの中心から室内熱交換器１５までの最短距離と軸部２４ａの中心から室内ファン１６までの最短距離とのうち、いずれか長い方よりも長くなっている。そして、ブラシ２４ｂは、軸部２４ａが回転することにより、室内熱交換器１５と室内ファン１６との双方に選択的に当接（接触）することが可能な構成になっている。
【００３２】
ファン清掃部２４によって室内ファン１６を清掃する際には、室内ファン１６にブラシ２４ｂが接触するように（図７Ａ参照）、ファン清掃用モータ２４ｃ（図５参照）が駆動されるとともに、室内ファン１６が逆回転される。そして、ファン清掃部２４による室内ファン１６の清掃が終了すると、ファン清掃用モータ２４ｃが再び駆動されてブラシ２４ｂが回動し、室内ファン１６からブラシ２４ｂが離間した状態になる（図２参照）。
【００３３】
なお、本実施形態では、室内機Ｕｉ（図１参照）は、例えば凍結・解凍運転や冷房運転のような、ブラシ２４ｂに結露水（凝縮水）が付着する運転を行った場合に、軸部２４ａの下回り方向（図２に示す矢印Ａ１の方向）にブラシ２４ｂを回転させる構成になっている。つまり、室内機Ｕｉ（図１参照）は、冷凍サイクルに室内熱交換器１５で結露水を生成させた後、軸部２４ａの下回り方向（図２に示す矢印Ａ１の方向）にブラシ２４ｂを回転させる構成になっている。これは、露受皿１８の奥行き幅が比較的短いため、ブラシ２４ｂに付着した結露水（凝縮水）が滴下する際に飛散し難くするためである。つまり、仮に、軸部２４ａの上回り方向にブラシ２４ｂを回転させた場合に、ブラシ２４ｂに付着した結露水（凝縮水）は、ブラシ２４ｂの先端側から軸部２４ａ側に流れて軸部２４ａに溜まり、比較的大径の滴となって軸部２４ａから滴下する。この場合に滴下した結露水（凝縮水）は、飛散し易くなる。そこで、室内機Ｕｉ（図１参照）は、結露水（凝縮水）が飛散することを抑制するために、ブラシ２４ｂに結露水（凝縮水）が付着する運転を行った場合に、軸部２４ａの下回り方向（図２に示す矢印Ａ１の方向）にブラシ２４ｂを回転させる構成になっている。
【００３４】
このような構成は、以下の長所を得ることもできる。すなわち、この構成では、ブラシ２４ｂに付着した結露水（凝縮水）は、ブラシ２４ｂの軸部２４ａ側から先端側に流れて、ブラシ２４ｂの先端から滴下する。このとき、結露水（凝縮水）は、ブラシ２４ｂに付着した塵埃と一緒に滴下する。そのため、室内機Ｕｉ（図１参照）は、ブラシ２４ｂから塵埃を効率よく除去することができる。
【００３５】
本実施形態では、室内ファン１６の清掃時以外では、図２に示すように、ブラシ２４ｂの先端が室内熱交換器１５に臨むようにして、ブラシ２４ｂの先端が前側室内熱交換器１５ａに接触するように、さらに好ましくは、ブラシ２４ｂの先端が前側室内熱交換器１５ａの隙間に入り込むようにする。具体的には、室内ファン１６の清掃時以外（通常の空調運転中も含む）では、ブラシ２４ｂが横方向（略水平）に向いた状態で、室内ファン１６から離間している。このようにファン清掃部２４を配置する理由について、図４を用いて説明する。
【００３６】
図４は、空調運転中におけるファン清掃部２４付近の空気の流れを示す説明図である。
なお、図４に示す各矢印の向きは、空気の流れる向きを示している。また、各矢印の長さは、空気の流れる速さを示している。
通常の空調運転時、室内ファン１６は正回転し、前側室内熱交換器１５ａのフィンｆの隙間を通り抜けた空気が室内ファン１６に向かう。特に、前側室内熱交換器１５ａの凹部ｒの付近では、図４に示すように、室内ファン１６に向かって横方向（略水平の方向）に空気が流れる。
【００３７】
この凹部ｒには、前記したように、ブラシ２４ｂが横方向に向いた状態で、ファン清掃部２４が配置されている。言い換えると、通常の空調運転時、ブラシ２４ｂの向きは空気の流れの方向に平行になっている。このように、ブラシ２４ｂの延在方向と、空気の流れる方向と、が略平行であるため、ファン清掃部２４が空気の流れの妨げになることはほとんどない。
【００３８】
また、室内ファン１６が正回転している場合の空気の流れの中流域・下流域（図２に示す空気吹出口ｈ４の付近）ではなく、上流域にファン清掃部２４が配置されている。そして、ブラシ２４ｂに沿って横方向に通流する空気が、ファンブレード１６ａによって加速され、加速された空気が空気吹出口ｈ４（図２参照）に向かうようになっている。このように、空気が比較的低速で流れる上流域にファン清掃部２４が配置されているため、ファン清掃部２４に起因する風量低下を抑制できる。なお、室内ファン１６が停止しているときにも、図４と同様の状態でファン清掃部２４が維持されてもよい。
【００３９】
図５は、空気調和機１００の機能ブロック図である。
図５に示す室内機Ｕｉは、前記した構成の他に、リモコン送受信部２７と、室内制御回路３１と、を備えている。
リモコン送受信部２７は、リモコン４０との間で所定の情報をやり取りする。
室内制御回路３１は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００４０】
図５に示すように、室内制御回路３１は、記憶部３１ａと、室内制御部３１ｂと、を備えている。
記憶部３１ａには、所定のプログラムの他、リモコン送受信部２７を介して受信したデータや、各種センサ（図示せず）の検出値等が記憶される。
室内制御部３１ｂは、記憶部３１ａに記憶されたデータに基づいて、ファン清掃用モータ２４ｃ、室内ファンモータ１６ｃ、左右風向板用モータ２５、上下風向板用モータ２６等を実行する。
【００４１】
室外機Ｕｏは、前記した構成の他に、室外制御回路３２を備えている。室外制御回路３２は、図示はしないが、ＣＰＵ、ＲＯＭ、ＲＡＭ、各種インタフェース等の電子回路を含んで構成され、通信線を介して室内制御回路３１に接続されている。図５に示すように、室外制御回路３２は、記憶部３２ａと、室外制御部３２ｂと、を備えている。
【００４２】
記憶部３２ａには、所定のプログラムの他、室内制御回路３１から受信したデータ等が記憶される。室外制御部３２ｂは、記憶部３２ａに記憶されたデータに基づいて、圧縮機モータ１１ａ、室外ファンモータ１３ａ、膨張弁１４等を制御する。以下では、室内制御回路３１及び室外制御回路３２を一括して「制御部３０」という。
【００４３】
＜室内ファンの清掃＞
室内機Ｕｉは、室内ファン１６の清掃機能として、凍結・解凍運転や冷房運転によって室内熱交換器１５で生成された結露水（凝縮水）を利用して室内ファン１６を清掃する機能を有している。また、室内機Ｕｉは、ブラシ２４ｂの清掃機能として、凍結・解凍運転や冷房運転によって室内熱交換器１５で生成された結露水（凝縮水）を利用してブラシ２４ｂを清掃する機能も有している。
【００４４】
以下、図６を参照して、室内ファン１６の清掃時の動作について説明する。図６は、制御部３０が実行する室内ファン１６の清掃処理を示すフローチャートである（適宜、図２を参照）。
なお、図６のフローにおいて、「ＳＴＡＲＴ」時は、空調運転が行われておらず、また、ブラシ２４ｂの先端が前側室内熱交換器１５ａに臨んだ状態（図２に示す状態）であるものとして説明する。
【００４５】
図６のステップＳ１０１において、制御部３０は、ファン清掃部２４によって、室内ファン１６を清掃する。なお、室内ファン１６の清掃タイミング（室内ファン１６の清掃を開始するトリガ）として、例えば、前回の室内ファン１６の清掃時からの空調運転の積算時間が所定時間に達するという条件が挙げられる。
【００４６】
図７Ａは、室内ファン１６の清掃中の状態を示す説明図である。
なお、図７Ａでは、室内熱交換器１５、室内ファン１６、及び露受皿１８を図示し、他の部材については図示を省略している。
制御部３０は、ファン清掃部２４を室内ファン１６に接触させ、通常の空調運転時とは逆向きに室内ファン１６を回転（逆回転）させる。
【００４７】
つまり、制御部３０は、ブラシ２４ｂの先端が室内熱交換器１５に臨んだ状態（図２参照）から、軸部２４ａを中心にブラシ２４ｂを約１８０°回動させ、ブラシ２４ｂの先端が室内ファン１６に臨むようにする（図７Ａ参照）。これによって、室内ファン１６のファンブレード１６ａにブラシ２４ｂが接触する。
【００４８】
なお、図７Ａの例では、一点鎖線Ｌで示すように、ファン清掃部２４が室内ファン１６に接触した状態での接触位置Ｋの下方に、室内熱交換器１５（前側室内熱交換器１５ａ）が存在するとともに、露受皿１８も存在している。
【００４９】
前記したように、室内ファン１６は逆回転しているため、ファンブレード１６ａの移動に伴ってブラシ２４ｂの先端がたわみ、ファンブレード１６ａの背面をなでるようにブラシ２４ｂが押し付けられる。そして、ファンブレード１６ａの先端付近（径方向の端部）に溜まった塵埃が、ブラシ２４ｂによって除去される。
【００５０】
特に、ファンブレード１６ａの先端付近には塵埃が溜まりやすい。なぜなら、室内ファン１６が正回転している空調運転中（図４参照）、ファンブレード１６ａの腹の先端付近に空気が当たり、この先端付近に塵埃が付着するからである。ファンブレード１６ａの先端付近に当たった空気は、ファンブレード１６ａの腹の曲面に沿うようにして、隣り合うファンブレード１６ａ，１６ａの間の隙間を通り抜ける。
【００５１】
本実施形態では、前記したように、ファンブレード１６ａにブラシ２４ｂを接触させ、室内ファン１６を逆回転させるようにしている。これによって、ファンブレード１６ａの背面の先端付近にブラシ２４ｂが接触し、ファンブレード１６ａの腹・背面の両方の先端付近に溜まった塵埃が、一体となって除去される。その結果、室内ファン１６に溜まった塵埃の大部分を除去できる。
【００５２】
また、室内ファン１６を逆回転させることによって、室内機Ｕｉ（図２参照）の内部で、正回転時（図４参照）とは逆向きの緩やかな空気の流れが生じる。したがって、室内ファン１６から除去された塵埃ｊが空気吹出口ｈ４（図２参照）には向かわず、図７Ａに示すように、前側室内熱交換器１５ａと室内ファン１６との間の隙間を介して、露受皿１８に導かれる。
【００５３】
より詳しく説明すると、ブラシ２４ｂによって室内ファン１６から除去された塵埃ｊが、風圧で前側室内熱交換器１５ａに軽く押し付けられる。さらに、前記した塵埃ｊは、前側室内熱交換器１５ａの傾斜面（フィンｆの縁）に沿って、露受皿１８に落下する（図７Ａの矢印を参照）。したがって、室内ファン１６と露受皿１８との間の微少な隙間を介して、上下風向板２３（図２参照）の裏面に塵埃ｊが付着することは、ほとんどない。これによって、次回の空調運転中に塵埃ｊが室内に吹き出されることを防止できる。
【００５４】
なお、室内ファン１６から除去された塵埃ｊの一部が、露受皿１８に落下せずに、前側室内熱交換器１５ａに付着する可能性もある。このように前側室内熱交換器１５ａに付着した塵埃ｊは、後記するステップＳ１０３の処理で洗い流される。
【００５５】
また、室内ファン１６の清掃中、制御部３０は、室内ファン１６を中・高速域の回転速度で駆動してもよいし、また、室内ファン１６を低速域の回転速度で駆動してもよい。
室内ファン１６の中・高速域の回転速度の範囲は、例えば、３００ｍｉｎ−１以上かつ１７００ｍｉｎ−１未満である。このように中・高速域で室内ファン１６を回転させることによって、前側室内熱交換器１５ａの方に塵埃ｊが向かいやすくなるため、前記したように、上下風向板２３（図２参照）の裏面に塵埃ｊが付着しにくくなる。したがって、次回の空調運転中に塵埃ｊが室内に吹き出されることを防止できる。
【００５６】
また、室内ファン１６の低速域の回転速度の範囲は、例えば、１００ｍｉｎ−１以上かつ３００ｍｉｎ−１未満である。このように低速域で室内ファン１６を回転させることによって、室内ファン１６の清掃を低騒音で行うことができる。
【００５７】
図６のステップＳ１０１の処理が終わった後、ステップＳ１０２において制御部３０は、清掃部材であるブラシ２４ｂを移動させる。すなわち、制御部３０は、ブラシ２４ｂの先端が室内ファン１６に臨んだ状態（図７Ａ参照）から、軸部２４ａを中心にブラシ２４ｂを約１８０°回動させ、ブラシ２４ｂの先端が室内熱交換器１５に臨むようにする（図７Ｂ参照）。これによって、その後の空調運転中、ファン清掃部２４が空気の流れの妨げになることを防止できる。なお、図７Ｂに示すように、ブラシ２４ｂの先端が室内熱交換器１５に臨むようにする際に、ブラシ２４ｂの先端が前側室内熱交換器１５ａに接触するように、さらに好ましくは、ブラシ２４ｂの先端が前側室内熱交換器１５ａの隙間に入り込むようにするとよい。
【００５８】
次に、ステップＳ１０３において制御部３０は、室内熱交換器１５の凍結・解凍を順次に行う。まず、制御部３０は、室内熱交換器１５を蒸発器として機能させ、室内機Ｕｉに取り込まれた空気に含まれる水分を室内熱交換器１５に着霜させて凍結させる。なお、室内熱交換器１５を凍結させる処理は、室内熱交換器１５に「凝縮水を付着させる」という事項に含まれる。
【００５９】
室内熱交換器１５を凍結させているとき、制御部３０は、室内熱交換器１５に流入する冷媒の蒸発温度を低くすることが好ましい。すなわち、制御部３０は、室内熱交換器１５を蒸発器として機能させ、この室内熱交換器１５を凍結（凝縮水を付着）させているとき、通常の空調運転時よりも冷媒の蒸発温度が低くなるように、室内熱交換器１５に流入する冷媒の圧力を調整する。
【００６０】
例えば、制御部３０は、膨張弁１４（図１参照）の開度を小さくして、又は、室内ファン１６の回転数下げて若しくは停止して、室内機Ｕｉの風量を減らすことによって、低圧で蒸発温度が低い冷媒を室内熱交換器１５に流入させる。これによって、室内熱交換器１５で霜や氷（図７Ｂに示す符号ｉ）が成長しやすくなるため、その後の解凍中、室内熱交換器１５を多量の水で洗い流すことができる。
【００６１】
また、室内熱交換器１５において、ファン清掃部２４の下方に位置する領域は、室内熱交換器１５を通流する冷媒の流れの下流域ではない（つまり、上流域又は中流域である）ことが好ましい。これによって、少なくともファン清掃部２４の下方（下側）には、低温の気液二相冷媒が流れるため、室内熱交換器１５に付着する霜や氷の厚さを厚くすることができる。したがって、その後の解凍中、室内熱交換器１５を多量の水で洗い流すことができる。
なお、室内熱交換器１５においてファン清掃部２４の下方に位置する領域は、ファン清掃部２４によって室内ファン１６から掻き落とされた塵埃が付着しやすい。そこで、室内熱交換器１５においてファン清掃部２４の下方に位置する領域に低温の気液二相冷媒を流すことで、霜や氷が成長しやすくなり、さらに、これらの霜や氷を溶かすことで室内熱交換器１５の塵埃を適切に洗い流すことができる。
【００６２】
また、室内熱交換器１５を蒸発器として機能させ、この室内熱交換器１５を凍結（凝縮水を付着）させているとき、制御部３０は、上下風向板２３（図２参照）を閉じるか、又は、上下風向板２３の角度を水平よりも上向きにすることが好ましい。これによって、室内熱交換器１５で冷やされた低温の空気が室内に漏れ出ることを抑制し、ユーザにとって快適な状態で室内熱交換器１５の凍結等を行うことができる。
【００６３】
このようにして室内熱交換器１５を凍結させた後、制御部３０は、室内熱交換器１５を解凍する（図６のステップＳ１０３）。例えば、制御部３０は、各機器の停止状態を維持することで、室内熱交換器１５を室温で自然解凍させる。なお、制御部３０が暖房運転又は送風運転を行うことによって、室内熱交換器１５に付着した霜や氷を溶かすようにしてもよい。
【００６４】
図７Ｂは、室内熱交換器１５の解凍中の状態を示す説明図である。
室内熱交換器１５が解凍されることで、室内熱交換器１５に付着した霜や氷が溶け、フィンｆを伝って露受皿１８に多量の水ｗが流れ落ちる。これによって、空調運転中に室内熱交換器１５に付着した塵埃ｊを洗い流すことができる。
【００６５】
また、ブラシ２４ｂによる室内ファン１６の清掃に伴って、前側室内熱交換器１５ａに付着した塵埃ｊも一緒に洗い流され、露受皿１８に流れ落ちる（図７Ｂの矢印を参照）。このようにして露受皿１８に流れ落ちた水ｗは、室内ファン１６の清掃中に露受皿１８に直接的に落下した塵埃ｊ（図７Ａ参照）とともに、ドレンホース（図示せず）を介して外部に排出される。前記したように、解凍中に室内熱交換器１５から多量の水が流れ落ちる、ドレンホース等（図示せず）が塵埃ｊで詰まるおそれはほとんどない。
【００６６】
なお、図６では省略しているが、室内熱交換器１５の凍結・解凍（ステップＳ１０３）を行った後、制御部３０が暖房運転又は送風運転を行うことで、室内機Ｕｉの内部を乾燥させてもよい。これによって、室内熱交換器１５等に菌が繁殖することを抑制できる。
【００６７】
係る構成において空気調和機１００は、ファン清掃部２４によって室内ファン１６が清掃されるため（図６のステップＳ１０１）、室内に塵埃ｊが吹き出されることを抑制できる。また、前側室内熱交換器１５ａと室内ファン１６との間にファン清掃部２４が配置されるため、室内ファン１６からブラシ２４ｂで掻き落とされた塵埃ｊを露受皿１８に導くことができる。
また、室内ファン１６の清掃中、制御部３０は、室内ファン１６を逆回転させる。これによって、前記した塵埃ｊが空気吹出口ｈ４に向かうことを防止できる。
【００６８】
また、通常の空調運転中、ブラシ２４ｂが横方向に向いた状態であるため（図４参照）、ブラシ２４ｂの影響で空気の流れが妨げられることがほとんどない。さらに、空気の流れの上流域にファン清掃部２４が配置されていることと相まって、通常の空調運転中、ファン清掃部２４に起因する風量低下が抑制され、また、室内ファン１６の消費電力の増加も抑制される。なお、ファン清掃部２４が上流側にあると風量低下が抑制される理由は、空気吸込口ｈ１，ｈ２の面積が空気吹出口ｈ４の面積よりも大きくなっており、風の流れが下流側よりも上流側で遅くなるからである。
【００６９】
ちなみに、室内ファン１６に多量の塵埃が付着すると、場合によっては、冷房運転中、室内ファン１６の性能低下を補うように空気の吹出温度が低くなり、室内への露垂れが生じる可能性がある。これに対して本実施形態では、前記したように、室内ファン１６が適切に清掃されるため、塵埃の付着に伴う室内ファン１６の風量低下が抑制される。したがって、本実施形態によれば、室内ファン１６の塵埃に起因する露垂れを防止できる。
【００７０】
また、制御部３０が室内熱交換器１５の凍結・解凍を順次に行うことで（図６のステップＳ１０３）、室内熱交換器１５に付着していた塵埃ｊが水ｗで洗い流され、露受皿１８に流れ落ちる。このように本実施形態によれば、室内ファン１６を清潔な状態にすることができるとともに、室内熱交換器１５も清潔な状態にすることができる。したがって、空気調和機１００によって、快適な空調を行うことができる。また、室内熱交換器１５や室内ファン１６の清掃に要するユーザの手間やメンテナンス時の出費を低減できる。
【００７１】
＜清掃部材（ブラシ）の清掃処理＞
以下、図８を参照して、ブラシ２４ｂ（清掃部材）の清掃時の動作について説明する。図８は、制御部３０が実行するブラシ２４ｂ（清掃部材）の清掃処理を示すフローチャートである（適宜、図２を参照）。
なお、図８のフローにおいて、「ＳＴＡＲＴ」時は、空調運転が行われていないものとして説明する。
【００７２】
図８のステップＳ１１０において、制御部３０は、室内熱交換器１５へのブラシ２４ｂ（清掃部材）の当接制御を行う。なお、ブラシ２４ｂの清掃タイミング（ブラシ２４ｂの清掃処理を開始するトリガ）として、例えば、前回のブラシ２４ｂの清掃処理時からの空調運転の積算時間が所定時間に達するという条件が挙げられる。ただし、これは一例に過ぎない。制御部３０は、例えば、冷房運転や凍結運転をブラシ２４ｂの清掃タイミングとし、冷房運転時や凍結運転時にファン清掃部２４の洗浄を行うようにしてもよい。
【００７３】
次に、ステップＳ１２０において、制御部３０は、結露水の生成動作制御を開始する。このとき、制御部３０は、凍結・解凍運転や、冷房運転等を実行する。
次に、ステップＳ１３０において、制御部３０は、所定時間が経過したか否かの判定を繰り返し行い、所定時間が経過した（“Ｙｅｓ”）と判定されるまで待機する。
【００７４】
ステップＳ１３０の判定で所定時間が経過したと判定された場合（“Ｙｅｓ”の場合）に、ステップＳ１４０において、制御部３０は、結露水の生成動作制御を終了する。
次に、ステップＳ１５０において、制御部３０は、上下風向板２３の閉鎖制御若しくは上下風向板２３の水平以上の向きとする設定制御を行う。
【００７５】
この後、もしステップＳ１７０で暖房運転を行うのであれば、好ましくは、ステップＳ１６０において、制御部３０は、室内ファン１６（送風ファン）の回転停止制御を行うとよい。このステップＳ１６０の処理は、ステップＳ１７０で暖房運転を行ってブラシ２４ｂ（清掃部材）を乾燥させる際に、熱交換された空気が室内に吹き出されないようにして、室内の快適性を保つことを考慮したものである。仮に、このステップＳ１６０の処理を行わない場合であっても（つまり、室内ファン１６（送風ファン）の回転を停止しない場合であっても）、空気調和機１００は、ステップＳ１７０でブラシ２４ｂ（清掃部材）を乾燥させることができる。そのため、このステップＳ１６０の処理は、必須のものではなく、削除することができる。また、このステップＳ１６０の処理は、ステップＳ１７０で暖房運転を行う場合を想定したものである。もしステップＳ１７０で暖房運転を行わないのであれば、ステップＳ１６０の処理は、削除される。
【００７６】
次に、ステップＳ１７０において、制御部３０は、ブラシ２４ｂ（清掃部材）の乾燥動作制御を開始する。空気調和機１００は、室内熱交換器１５を凝縮器とする暖房運転や、送風運転等を実行することで、ブラシ２４ｂ（清掃部材）を乾燥させることができる。ここでは、制御部３０が暖房運転を実行する場合を想定して説明する。
次に、ステップＳ１８０において、制御部３０は、所定時間が経過したか否かの判定を繰り返し行い、所定時間が経過するまで待機する。
【００７７】
ステップＳ１８０の判定で所定時間が経過したと判定された場合（“Ｙｅｓ”の場合）に、ステップＳ１９０において、制御部３０は、ブラシ２４ｂ（清掃部材）の乾燥動作制御を終了する。そして、ステップＳ２００において、制御部３０は、室内熱交換器１５からのブラシ２４ｂ（清掃部材）の離間制御を行う。これにより、一連のルーチンの処理が終了する。
【００７８】
なお、ステップＳ１７０乃至ステップＳ２００では、菌類（カビ類）を十分に死滅させることができるように、ブラシ２４ｂの温度を菌類死滅温度以上に上昇させて、その状態を所望時間保つようにするとよい。ここでは、菌類死滅温度が５０℃以上であるものとして説明する。この温度は、例えば、日本国文部科学省の以下のホームページに掲載された表４「カビの耐熱性」における、カビ（麹カビの分生子）の熱死滅条件温度の５０℃（時間：５分間）を根拠にしている。ただし、菌類死滅温度は、必ずしも５０℃以上に限定されない。
（ホームページ）
http://www.mext.go.jp/b_menu/shingi/chousa/sonota/003/houkoku/08111918/002.htm
【００７９】
前記した所望時間は、例えば、保持する温度が５０℃である場合に５分間とするとよい。前記した所望時間は、保持する温度が５０℃よりも高い場合に５分間よりも短くすることができる。
【００８０】
室内機Ｕｉは、ステップＳ１７０乃至ステップＳ２００でブラシ２４ｂの温度を菌類死滅温度に保持した場合に、菌類（カビ類）を死滅させることができるため、ブラシ２４ｂを清潔に保つことができる。
【００８１】
図８のフローは、例えば、図９のフローのように変更することができる。図９は、制御部３０が実行するブラシ２４ｂ（清掃部材）の別の清掃処理を示すフローチャートである。
【００８２】
図９のフローは、図８のフローと比較すると、ステップＳ１１０とステップＳ１２０の処理の代わりに、ステップＳ１１０ａとステップＳ１２０ａの処理が行われる点で相違する。図９のステップＳ１１０ａの処理は、図８のステップＳ１２０の処理に相当するものであり、また、図９のステップＳ１２０ａの処理は、図８のステップＳ１１０の処理に相当するものである。つまり、図９のフローは、図８のステップＳ１１０とステップＳ１２０の処理を入れ替えたものになっている。
【００８３】
具体的には、図９のフローでは、ステップＳ１１０ａにおいて、制御部３０は、結露水の生成動作制御を開始する。このとき、制御部３０は、凍結・解凍運転や、冷房運転等を実行する。また、図９のフローでは、ステップＳ１２０ａにおいて、制御部３０は、室内熱交換器１５へのブラシ２４ｂ（清掃部材）の当接制御を行う。
【００８４】
＜清掃部材（ブラシ）の向き＞
ファン清掃部２４は、好ましくは、例えば、図１０Ａに示すように、暖房運転や冷房運転等の空調運転が行われる場合に、水平方向に対して上下方向に所望の許容角度αの範囲内で、ブラシ２４ｂの向きを保持するとよい。また、ファン清掃部２４は、好ましくは、図８のステップＳ１１０の処理又は図９のステップＳ１２０ａの処理時でも、図１０Ａに示すように、ブラシ２４ｂの向きを保持するとよい。図１０Ａは、空調運転が行われる場合におけるブラシ２４ｂ（清掃部材）の向きの一例を示す説明図である。この場合に、室内機Ｕｉは、ファン清掃部２４のブラシ２４ｂの向きを図１０Ａに示す向きに保持することにより、内部に流入する風の流れを妨げないようにすることができるため、比較的良好な空調効率を得ることができる。なお、図１０Ａに示す例では、ファン清掃部２４の軸部２４ａは、前側室内熱交換器１５ａの屈曲している箇所の側方の位置Ｐ０に配置されている。そして、ファン清掃部２４のブラシ２４ｂは、水平方向に対して上下方向に許容角度αの範囲内の向きで保持されている。
【００８５】
なお、室内機Ｕｉの内部では、室内ファン１６の中心Ｏ（図１０Ｂ参照）に向かって風が流れる。そのため、室内ファン１６の周囲において、室内ファン１６の中心Ｏよりも高い位置だと、上向き方向が空気抵抗の小さい方向となり、一方、室内ファン１６の中心Ｏよりも低い位置だと、下向き方向が空気抵抗の小さい方向となる。そこで、ファン清掃部２４は、好ましくは、例えば、図１０Ｂに示すように、暖房運転や冷房運転等の空調運転が行われる場合に、風の流れに対して平行な向きに、ブラシ２４ｂの向きを保持するようにしてもよい。また、ファン清掃部２４は、好ましくは、図８のステップＳ１１０の処理又は図９のステップＳ１２０ａの処理時でも、図１０Ｂに示すように、ブラシ２４ｂの向きを保持するようにしてもよい。図１０Ｂは、空調運転が行われる場合やブラシ２４ｂ（清掃部材）の清掃運転におけるブラシ２４ｂ（清掃部材）の向きの別の例を示す説明図である。この場合のブラシ２４ｂの向きは、例えば、軸部２４ａの位置が室内ファン１６の中心Ｏよりも高い位置Ｐ１であれば、ブラシ２４ｂの先端が水平方向よりも上を向く方向になる。また、この場合のブラシ２４ｂの向きは、例えば、軸部２４ａの位置が室内ファン１６の中心Ｏよりも低い位置Ｐ２であれば、ブラシ２４ｂの先端が水平方向よりも下を向く方向になる。この場合も、ファン清掃部２４のブラシ２４ｂは、室内熱交換器１５のうちガス域又は二相域の冷媒が流れる伝熱管ｇに接触しているフィンｆに接触される。そして、この場合も、室内機Ｕｉは、ファン清掃部２４がブラシ２４ｂの向きを図１０Ｂに示す向きに保持することにより、内部に流入する風の流れを妨げないようにすることができるため、比較的良好な空調効率を得ることができる。
【００８６】
ただし、ファン清掃部２４は、例えば、図１１に示すように、仮に軸部２４ａの位置が室内ファン１６の中心Ｏよりも高い位置Ｐ０であっても、ブラシ２４ｂの先端が水平方向よりも下を向くように、ブラシ２４ｂの向きを設定することも可能である。図１１は、空調運転が行われる場合におけるブラシ２４ｂ（清掃部材）の向きのさらに別の例を示す説明図である。この場合に、ブラシ２４ｂに付着した結露水（凝縮水）は、ブラシ２４ｂの軸部２４ａ側から先端側に流れて、ブラシ２４ｂの先端から滴下する。このとき、結露水（凝縮水）は、ブラシ２４ｂに付着した塵埃と一緒に滴下する。そのため、室内機Ｕｉは、ブラシ２４ｂから塵埃を効率よく除去することができる。
【００８７】
なお、例えば、図１１に示すように、制御部３０は、好ましくは、結露水の生成時、結露水がファン清掃部２４のブラシ２４ｂの先端側から室内熱交換器１５の一部（例えば下側部分）又は露受皿１８の方向に流れるように、ファン清掃部２４の配置角度を斜め下方向にしてもよい。これにより、空気調和機１００は、ファン清掃部２４を結露水の水路として機能させることができる。
【００８８】
また、ファン清掃部２４、好ましくは、例えば、図１２に示すように、冷房運転時や除湿運転等のような室内熱交換器１５を冷却する運転が行われる場合に、前側室内熱交換器１５ａからブラシ２４ｂを離すようにしてもよい。図１２は、冷房運転時又は除湿運転が行われる場合のブラシ２４ｂ（清掃部材）の向きを示す説明図である。この場合に、室内機Ｕｉは、室内熱交換器１５で生成された結露水（凝縮水）がブラシ２４ｂを伝って滴下させないようにすることができる。これにより、室内機Ｕｉは、結露水（凝縮水）で効率よく室内熱交換器１５を洗浄することができる。
【００８９】
ただし、ファン清掃部２４は、冷房運転時や除湿運転であっても、例えば、図１０Ａに示すように、ファン清掃部２４の向きを水平方向とするか、水平方向に対して所定の角度αの範囲内とするようにしてもよい。
また、ファン清掃部２４は、冷房運転時や除湿運転であっても、例えば、図１０Ｂに示すように、ファン清掃部２４の向きを風の流れに対して平行な向きとするようにしてもよい。
【００９０】
また、ファン清掃部２４は、暖房運転時であっても、例えば、図１２に示すように、前側室内熱交換器１５ａからブラシ２４ｂを離すようにしてもよい。つまり、制御部３０は、暖房運転、冷房運転又は除湿運転時、例えば、図１２に示すように、ファン清掃部２４を室内熱交換器１５に接触させない状態とするようにしてもよい。
【００９１】
＜送風ファン（室内ファン）の清掃タイミング＞
前記した実施形態では、室内ファン１６の清掃タイミング（室内ファン１６の清掃を開始するトリガ）として、前回の室内ファン１６の清掃時からの空調運転の積算時間が所定時間に達するという条件を挙げた。しかしながら、例えば、図１３に示すように、室内ファン１６の清掃タイミングは、運用に応じて変更することができる。図１３は、室内ファン１６（送風ファン）の清掃タイミングを変更する場合の動作例を示すフローチャートである。
【００９２】
以下、図１３を参照して、室内ファン１６（送風ファン）の清掃タイミングを変更する場合の動作について説明する。ここでは、空気調和機１００の利用者が任意のタイミングで、空調運転の実行及び空調運転の停止を空気調和機１００に指示するものとして説明する。
【００９３】
図１３のステップＳ６１０において、制御部３０は、記憶部３１ａ（図５参照）に予め記憶された設定条件に基づいて、室内ファン１６の清掃タイミングを設定する。ここでは、室内ファン１６の清掃タイミングとして、室内ファン１６の運転時間（累積稼働時間）が所望時間に到達したという動作条件が設定されているものとして説明する。また、室内ファン１６の運転時間が予め設定された閾値に到達した場合に、室内ファン１６の清掃タイミングの変更が行われるものとして説明する。なお、制御部３０は、室内ファン１６の運転時間の代わりに、室内ファン１６の累積回転数や、室内ファン１６の回転速度と稼働時間の積算値等を用いるようにしてもよい。
【００９４】
次に、ステップＳ６２０において、制御部３０は、利用者からの空調運転の実行が指示されると、空調運転を開始する。
次に、ステップＳ６３０において、制御部３０は、室内ファン１６（送風ファン）の運転時間を計測する。
次に、ステップＳ６４０において、制御部３０は、動作条件が室内ファン１６（送風ファン）の清掃タイミングになったか否かを判定する。
【００９５】
ステップＳ６４０の判定で動作条件が室内ファン１６（送風ファン）の清掃タイミングになったと判定された場合（“Ｙｅｓ”の場合）に、処理は、ステップＳ６９０に進む。一方、ステップＳ６４０の判定で動作条件が室内ファン１６（送風ファン）の清掃タイミングになっていないと判定された場合（“Ｎｏ”の場合）に、ステップＳ６５０において、制御部３０は、室内ファン１６（送風ファン）の運転時間が閾値に到達したか否かを判定する。
【００９６】
ステップＳ６５０の判定で室内ファン１６（送風ファン）の運転時間が閾値に到達していないと判定された場合（“Ｎｏ”の場合）に、ステップＳ６６０において、制御部３０は、動作条件が空調運転の終了になったか否かを、すなわち、利用者からの空調運転の停止が指示されたか否かを判定する。
【００９７】
ステップＳ６６０の判定で動作条件が空調運転の終了になっていないと判定された場合（“Ｎｏ”の場合）に、処理は、ステップＳ６３０に戻る。一方、ステップＳ６６０の判定で動作条件が空調運転の終了になったと判定された場合（“Ｙｅｓ”の場合）に、ステップＳ６７０において、制御部３０は、空調運転を終了する。これにより、一連のルーチンの処理が終了する。
【００９８】
前記したステップＳ６５０の判定で室内ファン１６（送風ファン）の運転時間が閾値に到達したと判定された場合（“Ｙｅｓ”の場合）に、ステップＳ６８０において、制御部３０は、記憶部３１ａ（図５参照）に予め記憶された設定条件に基づいて、室内ファン１６（送風ファン）の清掃タイミングを変更する。これにより、制御部３０は、現在の頻度よりも多い頻度で室内ファン１６（送風ファン）を清掃したり、逆に、現在の頻度よりも少ない頻度で室内ファン１６（送風ファン）を清掃したりすることができる。この後、処理は、ステップＳ６９０に進む。
【００９９】
ステップＳ６９０において、制御部３０は、動作条件が空調運転の終了になったか否かを、すなわち、利用者からの空調運転の停止が指示されたか否かの判定を繰り返し行い、動作条件が空調運転の終了になった（“Ｙｅｓ”）と判定されるまで待機する。
【０１００】
ステップＳ６９０の判定で動作条件が空調運転の終了になったと判定された場合（“Ｙｅｓ”の場合）に、ステップＳ７００において、制御部３０は、空調運転を終了する。そして、ステップＳ７１０において、制御部３０は、室内ファン１６（送風ファン）の清掃を行う。これにより、一連のルーチンの処理が終了する。
【０１０１】
＜清掃部材（ブラシ）の清掃タイミング＞
前記した実施形態では、ブラシ２４ｂの清掃タイミング（ブラシ２４ｂの清掃処理を開始するトリガ）として、例えば、前回のブラシ２４ｂの清掃処理時からの空調運転の積算時間が所定時間に達するという条件が挙げられる。しかしながら、例えば、図１４に示すように、ブラシ２４ｂの清掃タイミングは、運用に応じて変更することができる。図１４は、ブラシ２４ｂ（清掃部材）の清掃タイミングを変更する場合の動作例を示すフローチャートである。
【０１０２】
以下、図１４を参照して、ブラシ２４ｂ（清掃部材）の清掃タイミングを変更する場合の動作について説明する。ここでは、空気調和機１００の利用者が任意のタイミングで、空調運転の実行及び空調運転の停止を空気調和機１００に指示するものとして説明する。
【０１０３】
図１４のステップＳ８１０において、制御部３０は、記憶部３１ａ（図５参照）に予め記憶された設定条件に基づいて、ブラシ２４ｂの清掃タイミングを設定する。ここでは、ブラシ２４ｂの清掃タイミングとして、室内ファン１６（送風ファン）の運転時間（累積稼働時間）が所望時間に到達したという動作条件が設定されているものとして説明する。また、室内ファン１６（送風ファン）の運転時間が予め設定された閾値に到達した場合に、ブラシ２４ｂの清掃タイミングの変更が行われるものとして説明する。なお、前記したブラシ２４ｂの清掃タイミングは一例に過ぎない。制御部３０は、例えば、冷房運転や凍結運転をブラシ２４ｂの清掃タイミングとし、冷房運転時や凍結運転時にファン清掃部２４の洗浄を行うようにしてもよい。
【０１０４】
次に、ステップＳ８２０において、制御部３０は、利用者からの空調運転の実行が指示されると、空調運転を開始する。
次に、ステップＳ８３０において、制御部３０は、室内ファン１６（送風ファン）の運転時間を計測する。
次に、ステップＳ８４０において、制御部３０は、動作条件がブラシ２４ｂの清掃タイミングになったか否かを判定する。
【０１０５】
ステップＳ８４０の判定で動作条件がブラシ２４ｂの清掃タイミングになったと判定された場合（“Ｙｅｓ”の場合）に、処理は、ステップＳ８９０に進む。一方、ステップＳ８４０の判定で動作条件がブラシ２４ｂの清掃タイミングになっていないと判定された場合（“Ｎｏ”の場合）に、ステップＳ８５０において、制御部３０は、室内ファン１６（送風ファン）の運転時間が閾値に到達したか否かを判定する。
【０１０６】
ステップＳ８５０の判定で室内ファン１６（送風ファン）の運転時間が閾値に到達していないと判定された場合（“Ｎｏ”の場合）に、ステップＳ８６０において、制御部３０は、動作条件が空調運転の終了になったか否かを、すなわち、利用者からの空調運転の停止が指示されたか否かを判定する。
【０１０７】
ステップＳ８６０の判定で動作条件が空調運転の終了になっていないと判定された場合（“Ｎｏ”の場合）に、処理は、ステップＳ８３０に戻る。一方、ステップＳ８６０の判定で動作条件が空調運転の終了になったと判定された場合（“Ｙｅｓ”の場合）に、ステップＳ８７０において、制御部３０は、空調運転を終了する。これにより、一連のルーチンの処理が終了する。
【０１０８】
前記したステップＳ８５０の判定で室内ファン１６（送風ファン）の運転時間が閾値に到達したと判定された場合（“Ｙｅｓ”の場合）に、ステップＳ８８０において、制御部３０は、記憶部３１ａ（図５参照）に予め記憶された設定条件に基づいて、ブラシ２４ｂの清掃タイミングを変更する。これにより、制御部３０は、現在の頻度よりも多い頻度でブラシ２４ｂを清掃したり、逆に、現在の頻度よりも少ない頻度でブラシ２４ｂを清掃したりすることができる。この後、処理は、ステップＳ８９０に進む。
ステップＳ８９０において、制御部３０は、動作条件が空調運転の終了になったか否かを、すなわち、利用者からの空調運転の停止が指示されたか否かの判定を繰り返し行い、動作条件が空調運転の終了になった（“Ｙｅｓ”）と判定されるまで待機する。
【０１０９】
ステップＳ８９０の判定で動作条件が空調運転の終了になったと判定された場合（“Ｙｅｓ”の場合）に、ステップＳ９００において、制御部３０は、空調運転を終了する。そして、ステップＳ９１０において、制御部３０は、ブラシ２４ｂの清掃を行う。これにより、一連のルーチンの処理が終了する。
【０１１０】
＜ファン清掃部を室内熱交換器に接触させて清掃する頻度＞
本実施形態では、室内機Ｕｉは、凍結・解凍運転や冷房運転によって室内熱交換器１５で生成された結露水（凝縮水）を利用してファン清掃部２４のブラシ２４ｂ（清掃部材）を清掃する。しかしながら、結露水の生成にはエネルギーが必要である。そのため、ファン清掃部２４を室内熱交換器１５に接触させて清掃する頻度は、なるべく少ない方が好ましい。この点について考慮した場合に、ファン清掃部２４に付着する塵埃の付着量は、室内ファン１６（送風ファン）に付着する塵埃の付着量よりも少ない。そのため、ファン清掃部２４を室内熱交換器１５に接触させて清掃する頻度は、好ましくは、室内ファン１６（送風ファン）をファン清掃部２４で清掃する頻度よりも少なくするとよい。これにより、空気調和機１００は、消費電力を低減することができる。
【０１１１】
＜空気調和機の主な特徴＞
（１）図２に示すように、空気調和機１００は、室内熱交換器１５（熱交換器）を有する冷凍サイクルと、室内ファン１６（送風ファン）と、ブラシ２４ｂ（清掃部材）で室内ファン１６を清掃するファン清掃部２４と、制御部３０（図５参照）と、を備えている。ブラシ２４ｂは、室内熱交換器１５と室内ファン１６との双方に選択的に当接することが可能に構成されている。図８に示すように、制御部３０は、室内熱交換器１５にブラシ２４ｂを当接させる当接制御（ステップＳ１１０参照）と、室内熱交換器１５で結露水（凝縮水）を生成する生成動作制御（ステップＳ１２０参照）と、を行うことができる。図８と図９に示すように、制御部３０は、ファン清掃部２４を室内熱交換器１５に接触させる前、又は、ファン清掃部２４を室内熱交換器１５に接触させている時に、冷凍サイクルに室内熱交換器１５で結露水を生成させる。
【０１１２】
なお、清掃部材は、ブラシ２４ｂの代わりに、スポンジ等の部材であってもよい。
室内熱交換器１５で生成された結露水（凝縮水）は、一旦凍結されて霜（若しくは氷）として室内熱交換器１５に付着した後に、解凍された水であってもよい。
また、当接制御（図８のステップＳ１１０参照）と生成動作制御（図８のステップＳ１２０参照）の順序は、図９に示すステップＳ１１０ａ，Ｓ１２０ａのように、逆の順序であってもよい。
【０１１３】
このような空気調和機１００は、室内熱交換器１５で生成された結露水（凝縮水）を利用してブラシ２４ｂを清掃することができるため、ブラシ２４ｂを効率よく洗浄することができる。
【０１１４】
（２）図８と図９に示すように、制御部３０は、冷凍サイクルに室内熱交換器１５で結露水を生成させた後、乾燥動作を行う。その乾燥動作は、室内熱交換器１５を凝縮器とする暖房運転、又は、送風運転によって行われる（ステップＳ１７０参照）。
【０１１５】
このような空気調和機１００は、ブラシ２４ｂを効率よく乾燥させることができるため、ブラシ２４ｂを清潔に保つことができる。
【０１１６】
（３）図８と図９に示すように、冷凍サイクルに室内熱交換器１５で結露水を生成させた後、乾燥動作を行う場合において、仮に、ステップＳ１７０で室内熱交換器１５を凝縮器とする暖房運転を行うのであれば、制御部３０は、好ましくは、図８のステップＳ１１０又は図９のステップＳ１２０ａにおいて、ファン清掃部２４に対して、当接制御を行って、室内熱交換器１５にブラシ２４ｂを当接させるとよい。
【０１１７】
このような空気調和機１００は、ステップＳ１７０で暖房運転を行う際に、室内熱交換器１５の熱をブラシ２４ｂに効率よく伝達させることができるため、ブラシ２４ｂを素早く乾燥させることができる。ただし、空気調和機１００は、室内熱交換器１５にブラシ２４ｂを当接させなくても、ブラシ２４ｂを乾燥させることができる。
【０１１８】
（４）図８と図９に示すように、冷凍サイクルに室内熱交換器１５で結露水を生成させた後、乾燥動作を行う場合において、制御部３０は、好ましくは、上下風向板２３を閉じるか若しくは水平以上の向きとするか（ステップＳ１５０参照）、室内ファン１６（送風ファン）を停止するか（ステップＳ１６０参照）、又はその両方を行うとよい。
【０１１９】
このような空気調和機１００は、室内熱交換器１５を通過した空気が強い勢いで空気吹出口ｈ４（図２参照）から室内に吹き出すことを抑制した状態で乾燥動作を行う。そのため、空気調和機１００は、結露水が空気吹出口ｈ４（図２参照）から外部に漏れ出ることを抑制することができ、室内空気を清潔に保つことができる。
【０１２０】
（５）図１０Ａ、図１０Ｂ、又は、図１１に示すように、制御部３０は、好ましくは、乾燥動作を行う場合、ファン清掃部２４を室内熱交換器１５のうちガス域又は二相域の冷媒が流れる伝熱管ｇに接触しているフィンｆに接触されるとよい。
【０１２１】
このような空気調和機１００は、フィンｆから伝達される熱でファン清掃部２４の温度を効率よく上昇させることができる。特に、室内熱交換器１５のうちガス域又は二相域の冷媒が流れる伝熱管ｇは、液域の冷媒が流れる伝熱管ｇよりも高温となりやすい。そのため、ガス域又は二相域の冷媒が流れる伝熱管ｇに接触しているフィンｆにファン清掃部２４を接触させることで、よりファン清掃部２４の温度を上昇させることができる。
【０１２２】
（６）例えば、図１０Ａ、図１０Ｂ、及び図１１に示すように、仮に、図８と図９に示す例において、ステップＳ１７０で室内熱交換器１５を凝縮器とする暖房運転を行うのであれば、制御部３０は、好ましくは、ファン清掃部２４の温度を上昇しやすくするため、ファン清掃部２４の向きを室内熱交換器１５側に向けるとよい。
【０１２３】
このような空気調和機１００は、例えば、菌類（カビ類）を十分に死滅させることができるように、フィンｆから伝達される熱でファン清掃部２４の温度を上昇させることができる。これにより、空気調和機１００はファン清掃部２４を清潔に保つことができる。
【０１２４】
（７）例えば、図１２に示すように、制御部３０は、暖房運転、冷房運転又は除湿運転時、ファン清掃部２４を室内熱交換器１５に接触させない状態とするようにしてもよい。
【０１２５】
このような空気調和機１００は、暖房運転、冷房運転又は除湿運転時、室内熱交換器１５からファン清掃部２４に塵埃が移動することを抑制することができ、ファン清掃部２４の塵埃の付着量を低減することができる。また、空気調和機１００は、室内熱交換器１５で生成された結露水（凝縮水）がブラシ２４ｂを伝って滴下させないようにすることができるため、結露水（凝縮水）で効率よく室内熱交換器１５を洗浄することができる。
【０１２６】
（８）ファン清掃部２４は、軸部２４ａを中心にして回転する構造になっている。図１０Ａに示すように、制御部３０は、暖房運転、冷房運転又は除湿運転時、ファン清掃部２４の向きを水平方向とするか、水平方向に対して所定の角度の範囲内とするとよい。
【０１２７】
このような空気調和機１００は、内部に流入する風の流れを妨げないようにすることができるため、比較的良好な空調効率を得ることができる。
【０１２８】
（９）又は、図１０Ｂに示すように、制御部３０は、暖房運転、冷房運転又は除湿運転時、ファン清掃部２４の向きを風の流れに対して平行な向きとするようにしてもよい。
【０１２９】
このような空気調和機１００は、内部に流入する風の流れを妨げないようにすることができるため、比較的良好な空調効率を得ることができる。
【０１３０】
（１０）空気調和機１００は、ファン清掃部２４の下方に室内熱交換器１５の一部（例えば下側部分）又は露受皿１８を配置している。例えば、図１１に示すように、制御部３０は、好ましくは、ファン清掃部２４の先端が下に位置するようファン清掃部２４を斜め下方向に向けてもよい。これにより、空気調和機１００は、結露水の生成時、結露水がファン清掃部２４の先端側から室内熱交換器１５の一部（例えば下側部分）又は露受皿１８の方向に流れるように、ファン清掃部２４を結露水の水路として機能させることができる。
【０１３１】
このような空気調和機１００は、ファン清掃部２４を結露水の水路として機能させることにより、ファン清掃部２４に付着した塵埃を結露水と一緒に落下させることができる。そのため、空気調和機１００は、ファン清掃部２４を効率よく洗浄することができる。
【０１３２】
（１１）ファン清掃部２４を室内熱交換器１５に接触させて清掃する頻度は、好ましくは、室内ファン１６（送風ファン）をファン清掃部２４で清掃する頻度よりも少なくするとよい。
【０１３３】
このような空気調和機１００は、ファン清掃部２４の清掃に利用する結露水（凝縮水）の生成頻度を抑制することができる。そのため、空気調和機１００は、消費電力を低減することができる。
【０１３４】
（１２）図８に示すように、もしステップＳ１７０で暖房運転を行うのであれば、好ましくは、ステップＳ１６０において、制御部３０は、室内ファン１６（送風ファン）の回転を停止する動作制御を行うとよい。
【０１３５】
このような空気調和機１００は、ステップＳ１７０で室内ファン１６の回転を停止させた状態で暖房運転を行うため、熱交換された空気が室内に吹き出されないようにして、室内の快適性を保つことができる。
【０１３６】
（１３）図１３に示すように、制御部３０は、好ましくは、室内ファン１６（送風ファン）の運転時間に応じて室内ファン１６（送風ファン）の清掃のタイミングを変更するようにしてもよい。
【０１３７】
このような空気調和機１００は、室内ファン１６（送風ファン）の清掃のタイミングを自動的に変更することができるため、室内ファン１６（送風ファン）の洗浄効率を向上させることができる。
【０１３８】
（１４）図１４に示すように、制御部３０は、好ましくは、室内ファン１６（送風ファン）の運転時間に応じてブラシ２４ｂ（清掃部材）の清掃のタイミングを変更するようにしてもよい。
【０１３９】
このような空気調和機１００は、ブラシ２４ｂ（清掃部材）の清掃のタイミングを自動的に変更することができるため、ブラシ２４ｂ（清掃部材）の洗浄効率を向上させることができる。
また、このような空気調和機１００は、例えば、ブラシ２４ｂの方が室内ファン１６よりも汚れ難いため、ブラシ２４ｂを室内熱交換器１５に接触させて清掃する頻度が室内ファン１６をファン清掃部２４で清掃する頻度よりも少なくなるように、ブラシ２４ｂの清掃タイミングを設定することができる。これにより、空気調和機１００は、ブラシ２４ｂを室内熱交換器１５に接触させて清掃する頻度を好適な値に設定することができる。
【０１４０】
（１５）制御部３０は、室内熱交換器１５にブラシ２４ｂを当接させる当接制御（図８のステップＳ１１０参照）を行うことにより、ブラシ２４ｂに付着した塵埃をブラシ２４ｂから室内熱交換器１５に移動させることができる。
【０１４１】
このような空気調和機１００は、ブラシ２４ｂに付着した塵埃を室内熱交換器１５に擦り付けて、ブラシ２４ｂから室内熱交換器１５に塵埃を移動させることができるため、ブラシ２４ｂから塵埃を効率よく除去することができる。
また、空気調和機１００は、室内熱交換器１５を伝って流れる結露水とともに、室内熱交換器１５に移動した塵埃を滴下させることができるため、洗浄効率を向上させることができる。
また、通常、室内熱交換器１５はアースされているため、空気調和機１００は、ブラシ２４ｂの除電効果（すなわち、ブラシ２４ｂを除電して、塵埃がブラシ２４ｂに付着し難くする効果）を得ることができる。その結果、空気調和機１００は、塵埃がブラシ２４ｂに付着し難くすることができ、ブラシ２４ｂを清潔に保ち易くすることができる。
【０１４２】
（１６）制御部３０は、ブラシ２４ｂに結露水が付着する動作制御を行った後に、ブラシ２４ｂを回転移動させる場合に、ファン清掃部２４に対して、軸部２４ａの下回り方向にブラシ２４ｂを回転させる。
【０１４３】
このような空気調和機１００は、ブラシ２４ｂに付着した結露水がブラシ２４ｂの先端側から軸部２４ａ側に流れて軸部２４ａに溜まり、比較的大径の滴となって軸部２４ａから滴下することを抑制することができる。そのため、空気調和機１００は、結露水が飛散することを抑制することができる。
【０１４４】
以上の通り、本実施形態に係る空気調和機１００によれば、ファン清掃部２４を効率よく洗浄することができる。
【０１４５】
≪変形例≫
以上、本発明に係る空気調和機１００について実施形態で説明したが、本発明はこれらの記載に限定されるものではなく、種々の変更を行うことができる。
【０１４６】
＜第１変形例＞
図１５は、第１変形例に係る空気調和機のファン清掃部２４の清掃処理を示すフローチャートである。
【０１４７】
第１変形例では、図１５に示すファン清掃部２４の清掃処理を任意のタイミングで行う。例えば、第１変形例に係る空気調和機は、図８（若しくは図９）に示すフローの処理を所望のタイミングで行う際に、数回に１回の割合で、図８（若しくは図９）に示すフローの処理の代わりに、図１５に示すフローの処理を行うようにしてもよい。又は、図８（若しくは図９）に示すフローの処理を行わずに、図１５に示すフローの処理を行うようにしてもよい。
【０１４８】
図１５に示す例では、制御部３０は、ファン清掃部２４の清掃タイミングになったか否かを判定する（ステップＳ１０１０）。ステップＳ１０１０で、清掃タイミングになっていないと判定された場合（“Ｎｏ”の場合）に、処理は終了する。一方、清掃タイミングになったと判定された場合（“Ｙｅｓ”の場合）に、処理はステップＳ１０２０に進む。この場合に、制御部３０は、空調運転時に回転する方向とは逆方向に室内ファン１６（送風ファン）を回転させる（ステップＳ１０２０）。そして、制御部３０は、ファン清掃部２４が室内交換器１５に接触する角度を含む範囲で、ファン清掃部２４を回転させる動作を複数回行う（ステップＳ１０３０）。これにより、処理は終了する。
【０１４９】
このような第１変形例に係る空気調和機は、ファン清掃部２４を室内交換器１５に複数回接触させることにより、ファン清掃部２４に付着した塵埃を室内交換器１５に擦り付けて落下させることができる。また、第１変形例に係る空気調和機１００は、室内熱交換器１５がアースされているため、ブラシ２４ｂの除電効果（すなわち、ブラシ２４ｂを除電して、塵埃がブラシ２４ｂに付着し難くする効果）を得ることができる。その結果、第１変形例に係る空気調和機１００は、塵埃がブラシ２４ｂに付着し難くすることができ、ブラシ２４ｂを清潔に保ち易くすることができる。また、第１変形例に係る空気調和機１００は、図８（若しくは図９）に示すフローの処理を行う場合に比べて、結露水を生成しないため、消費電力を低減することができる。
【０１５０】
なお、第１変形例では、ファン清掃部２４を回転させる動作時に、空調運転時に回転する方向とは逆方向に室内ファン１６（送風ファン）を回転させる（ステップＳ１０２０参照）。これにより、第１変形例に係る空気調和機は、室内機Ｕｉの内部で塵埃が舞い上がり、その塵埃が空気吹出口ｈ４から室内に吹き出されることを抑制することができる。
【０１５１】
＜第２変形例＞
図１６Ａは、第２変形例に係る空気調和機の室内熱交換器１５の側面図である。図１６Ｂは、第２変形例に係る空気調和機の室内熱交換器１５の内面図である。
【０１５２】
図１６Ａに示すように、第２変形例に係る空気調和機は、室内熱交換器１５のフィンｆにスリットｓｌが設けられている。図１６Ａに示すように、スリットｓｌは、好ましくは、ファン清掃部２４が回転することにより、ファン清掃部２４のブラシ２４ｂが当接する箇所に設けられるようにするとよい。図１６Ｂに示す例では、スリットｓｌは、フィンｆの内面部分がフィンｆの一方の面側と他方の面側とに数ｍｍの幅で交互に折り込まれることによって形成されている。
【０１５３】
室内熱交換器１５のフィンｆ同士の間隔（フィンピッチ）は、ファン清掃部２４のブラシ２４ｂの毛の太さよりも広い場合がある。第２変形例に係る空気調和機は、このような場合であっても、ブラシ２４ｂを効率よく室内熱交換器１５のフィンｆに接触させることができる。これにより、第２変形例に係る空気調和機は、ファン清掃部２４を効率よく洗浄することができる。
【０１５４】
＜第３変形例＞
図１７は、第３変形例に係る空気調和機の室内機ＵＡｉの縦断面図である。
図１７に示す第３変形例では、縦断面視で凹状を呈する溝部材Ｍが、前側室内熱交換器１５ａの下方に設置されている。また、溝部材Ｍの底面から上側に延びるリブ２８が、溝部材Ｍに設置されている。なお、その他の点については実施形態と同様である。
【０１５５】
図１７に示す溝部材Ｍにおいて、リブ２８の前側の部分は、室内熱交換器１５の凝縮水を受ける露受部１８Ａとして機能する。また、溝部材Ｍにおいて、リブ２８の後側の部分は、室内熱交換器１５や室内ファン１６から落下した塵埃を受ける塵埃受け部２９として機能する。この塵埃受け部２９は、室内熱交換器１５の下方に配置されている。
【０１５６】
さらに、ファン清掃部２４の下方には、室内熱交換器１５（前側室内熱交換器１５ａの下部）が存在しているとともに、塵埃受け部２９も存在している。より詳しく説明すると、図示は省略するが、ファン清掃部２４が室内ファン１６に接触した状態での接触位置の下方に、室内熱交換器１５が存在しているとともに、塵埃受け部２９も存在している。このような構成であっても、前記した実施形態と同様の効果が奏される。
なお、室内熱交換器１５の解凍時には、露受部１８Ａに水が流れ落ちるとともに、塵埃受け部２９にも水が流れ落ちる。したがって、塵埃受け部２９に溜まった塵埃の排出に支障が生じるおそれはない。
【０１５７】
また、図１７に示す例では、リブ２８の上端が前側室内熱交換器１５ａに接触していないが、これに限らない。すなわち、リブ２８の上端が前側室内熱交換器１５ａに接触していてもよい。
【０１５８】
＜第４変形例＞
図１８は、第４変形例に係る空気調和機が備える室内ファン１６及びファン清掃部１２４Ａの模式的な斜視図である。
図１８に示す第４変形例では、ファン清掃部１２４Ａが、室内ファン１６の軸方向に平行な棒状の軸部１２４ｄと、この軸部１２４ｄに設置されるブラシ１２４ｅと、軸部１２４ｄの両端に設置される一対の支持部１２４ｆ，１２４ｆと、を備えている。その他、ファン清掃部１２４Ａは、図示はしないが、ファン清掃部１２４Ａを軸方向等に移動させる移動機構も備えている。
【０１５９】
図１８に示すように、室内ファン１６の軸方向（長手方向）と平行な方向におけるファン清掃部１２４Ａの長さは、室内ファン１６自体の軸方向の長さよりも短い。なお、室内ファン１６の軸方向（長手方向）は、室内機Ｕｉの正面から見て左右方向となる。そして、室内ファン１６の清掃中、ファン清掃部１２４Ａが、室内ファン１６の軸方向（長手方向）に移動するようになっている。つまり、室内ファン１６の軸方向において、ファン清掃部１２４Ａの長さに相当する所定領域ごとに、室内ファン１６が順次に清掃されるようになっている。このように、その長さが比較的短いファン清掃部１２４Ａを移動させる構成にすることで、第１実施形態に比べて、空気調和機の製造コストを削減できる。
【０１６０】
なお、軸部１２４ｄと平行に延びる棒（図示せず）をファン清掃部１２４Ａの付近（例えば、軸部１２４ｄの上側）に設け、所定の移動機構（図示せず）が、この棒に沿ってファン清掃部１２４Ａを移動させるようにしてもよい。また、ファン清掃部１２４Ａによる清掃後、移動機構（図示せず）がファン清掃部１２４Ａを適宜に回動又は平行移動させ、ファン清掃部１２４Ａを室内ファン１６から退避させるようにしてもよい。
【０１６１】
また、実施形態では、室内ファン１６の清掃時に、制御部３０が、ファン清掃部２４を室内ファン１６に接触させ、通常の空調運転時とは逆向きに室内ファン１６を回転（逆回転）させる処理について説明したが、これに限らない。すなわち、制御部３０が、ファン清掃部２４を室内ファン１６に接触させ、通常の空調運転時と同一の向きに室内ファン１６を回転（正回転）させるようにしてもよい。
【０１６２】
このように室内ファン１６にブラシ２４ｂを接触させて、室内ファン１６を正回転させることで、ファンブレード１６ａの腹の先端付近に付着した塵埃が効果的に除去される。また、室内ファン１６を逆回転させるための回路素子が不要になるため、空気調和機１００の製造コストを削減できる。なお、清掃中に室内ファン１６を正回転させる際の回転速度は、実施形態と同様に、低速域・中速域・高速域のうちのいずれであってもよい。
【０１６３】
また、実施形態では、ファン清掃部２４の軸部２４ａを中心にブラシ２４ｂが回動する構成について説明したが、これに限らない。例えば、室内ファン１６を清掃する際には、制御部３０が、軸部２４ａを室内ファン１６の方に移動させ、ブラシ２４ｂを室内ファン１６に接触させるようにしてもよい。そして、室内ファン１６の清掃終了後は、制御部３０が、軸部２４ａを退避させ、ブラシ２４ｂを室内ファン１６から離間させるようにしてもよい。
【０１６４】
また、実施形態では、ファン清掃部２４がブラシ２４ｂを備える構成について説明したが、これに限らない。すなわち、室内ファン１６を清掃可能な部材であれば、スポンジ等を用いてもよい。
【０１６５】
また、実施形態では、室内熱交換器１５において、ファン清掃部２４の下方に位置する領域が、冷媒の流れの下流域ではない構成について説明したが、これに限らない。例えば、室内熱交換器１５において、その高さがファン清掃部２４よりも高い領域が、室内熱交換器１５を通流する冷媒の流れの下流域ではない（つまり、上流域又は中流域である）という構成であってもよい。より詳しく説明すると、前側室内熱交換器１５ａにおいて、通常の空調運転時に空気の流れの下流側に位置する領域であって、その高さがファン清掃部２４よりも高い領域は、室内熱交換器１５を通流する冷媒の流れの下流域ではないことが好ましい。このような構成によれば、前側室内熱交換器１５ａにおいて通常の空調運転時に空気の流れの下流側に位置する領域（図２に示す前側室内熱交換器１５ａの紙面右部）であって、その高さがファン清掃部２４よりも高い領域には、室内熱交換器１５の凍結に伴って、厚さが厚い霜が付着する。そして、その後に室内熱交換器１５を解凍させると、フィンｆを伝って多量の水が流れ落ちる。その結果、室内熱交換器１５に付着した塵埃（室内ファン１６から除去された塵埃を含む）を露受皿１８に洗い落とすことができる。
【０１６６】
また、実施形態では、室内ファン１６の清掃中、制御部３０が、ファン清掃部２４のブラシ２４ｂを室内ファン１６に接触させる構成について説明したが、これに限らない。すなわち、室内ファン１６の清掃中、制御部３０が、ファン清掃部２４のブラシ２４ｂを室内ファン１６に近接させるようにしてもよい。より詳しく説明すると、ファンブレード１６ａの先端に溜まって、この先端よりも径方向外側まで成長した塵埃を除去できる程度まで、制御部３０が室内ファン１６にブラシ２４ｂを近接させる。このような構成でも、室内ファン１６に溜まった塵埃を適切に除去できる。
【０１６７】
また、各実施形態では、室内熱交換器１５の凍結等によって、室内熱交換器１５を洗浄する処理について説明したが、これに限らない。例えば、室内熱交換器１５を結露させ、その結露水（凝縮水）で室内熱交換器１５を洗浄するようにしてもよい。例えば、制御部３０は、室内空気の温度及び相対湿に基づいて、室内空気の露点を算出する。そして、制御部３０は、室内熱交換器１５の温度が、前記した露点以下であり、かつ、所定の凍結温度よりも高くなるように、膨張弁１４の開度等を制御する。
【０１６８】
前記した「凍結温度」とは、室内空気の温度を低下させたとき、室内空気に含まれる水分が、室内熱交換器１５で凍結し始める温度である。このように室内熱交換器１５を結露させることによって、その結露水（凝縮水）で室内熱交換器１５の塵埃を洗い落とすことができる。
【０１６９】
また、制御部３０が、冷房運転や除湿運転を行うことによって、室内熱交換器１５を結露させ、その結露水（凝縮水）で室内熱交換器１５を洗浄するようにしてもよい。
【０１７０】
また、実施形態（図２参照）では、ファン清掃部２４の下方に室内熱交換器１５及び露受皿１８が存在する構成について説明したが、これに限らない。すなわち、ファン清掃部２４の下方に、室内熱交換器１５及び露受皿１８のうち少なくとも一方が存在している構成であってもよい。例えば、縦断面視で＜字状を呈する室内熱交換器１５の下部が鉛直方向に延びている構成において、ファン清掃部２４の下方（真下）に露受皿１８が存在していてもよい。
【０１７１】
また、図１７に示す第３変形例では、ファン清掃部２４の下方に室内熱交換器１５及び塵埃受け部２９が存在する構成について説明したが、これに限らない。すなわち、ファン清掃部２４の下方に、室内熱交換器１５及び塵埃受け部２９のうち少なくとも一方が存在している構成であってもよい。
【０１７２】
また、実施形態では、室内機Ｕｉ（図１参照）及び室外機Ｕｏ（同図参照）が一台ずつ設けられる構成について説明したが、これに限らない。すなわち、並列接続された複数台の室内機を設けてもよいし、また、並列接続された複数台の室外機を設けてもよい。
また、実施形態では、壁掛型の空気調和機１００について説明したが、他の種類の空気調和機にも適用することが可能である。
【０１７３】
また、実施形態では、空気調和機１００が室内熱交換器１５の凍結・解凍運転を実行する機能を有する場合を想定して説明した。しかしながら、本発明は、空気調和機１００が室内熱交換器１５の凍結・解凍運転を実行する機能を有していない場合にも適用することができる。
【０１７４】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。
また、前記した機構や構成は説明上必要と考えられるものを示しており、製品上必ずしも全ての機構や構成を示しているとは限らない。
また、本発明は、室内機Ｕｉに限らず、室外機Ｕｏにも適用することができる。
【符号の説明】
【０１７５】
１００  空気調和機
１１    圧縮機
１２    室外熱交換器
１３    室外ファン
１４    膨張弁
１５    室内熱交換器（熱交換器）
１５ａ  前側室内熱交換器
１５ｂ  後側室内熱交換器
１６    室内ファン（送風ファン）
１７    四方弁
１８    露受皿
２２    左右風向板
２３    上下風向板（風向板）
２４，１２４Ａ    ファン清掃部
２４ａ，１２４ｄ  軸部
２４ｂ，１２４ｅ  ブラシ（清掃部材）
１２４ｆ  支持部
２８    リブ
２９    塵埃受け部
３０    制御部
Ｋ      接触位置
Ｑ      冷媒回路
ｒ      凹部
【図１】
2019143841.tif 000003
【図２】
2019143841.tif 000004
【図３】
2019143841.tif 000005
【図４】
2019143841.tif 000006
【図５】
2019143841.tif 000007
【図６】
2019143841.tif 000008
【図７Ａ】
2019143841.tif 000009
【図７Ｂ】
2019143841.tif 000010
【図８】
2019143841.tif 000011
【図９】
2019143841.tif 000012
【図１０Ａ】
2019143841.tif 000013
【図１０Ｂ】
2019143841.tif 000014
【図１１】
2019143841.tif 000015
【図１２】
2019143841.tif 000016
【図１３】
2019143841.tif 000017
【図１４】
2019143841.tif 000018
【図１５】
2019143841.tif 000019
【図１６Ａ】
2019143841.tif 000020
【図１６Ｂ】
2019143841.tif 000021
【図１７】
2019143841.tif 000022
【図１８】
2019143841.tif 000023